(57)【要約】【課題】室内の湿気が窓ガラス等に結露することが抑制されるハニカムスクリーン装置を提供することを課題とする。【解決手段】本発明に係るハニカムスクリーン装置１は、伸縮可能なハニカムスクリーン３を備えたハニカムスクリーン装置１において、ハニカムスクリーン３の下方に配置されたボトムレール５と、ボトムレール５に形成され、吸湿剤１０を収容するための収容部５ａと、ボトムレール５に形成され、外部空間と収容部５ａとを連通する連通口５ｄと、を備えることを特徴とする。【選択図】図２
2019065581.tif 000002
【特許請求の範囲】
【請求項１】
伸縮可能なハニカムスクリーンを備えたハニカムスクリーン装置において、
前記ハニカムスクリーンの下方に配置されたボトムレールと、
前記ボトムレールに形成され、吸湿剤を収容するための収容部と、
前記ボトムレールに形成され、外部空間と前記収容部とを連通する連通口と、
を備えることを特徴とするハニカムスクリーン装置。
【請求項２】
前記ボトムレールは筒状を呈し、前記ボトムレールの内部空間が前記収容部となっていることを特徴とする請求項１に記載のハニカムスクリーン装置。
【請求項３】
伸縮可能なハニカムスクリーンを備えたハニカムスクリーン装置において、
前記ハニカムスクリーンの下方に配置されたボトムレールと、
前記ボトムレール内に形成され吸湿剤を収容するための空間であり、前記ハニカムスクリーンと非接触に設けられた収容部と、
を備えることを特徴とするハニカムスクリーン装置。
【請求項４】
伸縮可能なハニカムスクリーンを備えたハニカムスクリーン装置において、
前記ハニカムスクリーンの下方に配置されたボトムレールと、
前記ボトムレール内に形成され、前記ハニカムスクリーンと非接触に設けられた収容部と、
前記収容部内に収容された吸湿剤と、
を備えることを特徴とするハニカムスクリーン装置。
【請求項５】
前記ボトムレールには、外部空間と前記収容部とを連通する連通口が形成されていることを特徴とする請求項３又は請求項４に記載のハニカムスクリーン装置。
【請求項６】
前記連通口は、前記ボトムレールにおいて窓側を向く壁部に形成されていることを特徴とする請求項１、請求項２及び請求項５のうちいずれか１項に記載のハニカムスクリーン装置。
【請求項７】
前記ボトムレールは、前記吸湿剤を出し入れ可能に形成されていることを特徴とする請求項１から請求項６のいずれか１項に記載のハニカムスクリーン装置。
【請求項８】
前記ハニカムスクリーンを構成するセルは、両端が開口し、内部に吸湿剤を収容可能になっていることを特徴とする請求項１から請求項７のいずれか１項に記載のハニカムスクリーン装置。
【請求項９】
前記ハニカムスクリーンを構成するセルの両端部に配置される閉塞部材と、を備え、
前記閉塞部材は、前記セルの両端部を上下方向に貫通するコードと、前記コードから各セル内に延出して内側への侵入を抑制する繊維群と、を備えていることを特徴とする請求項１から請求項８のいずれか１項に記載のハニカムスクリーン装置。
【発明の詳細な説明】
【技術分野】
【０００１】
本発明は、ハニカムスクリーン装置に関する。
【背景技術】
【０００２】
遮蔽装置として、ハニカムスクリーン装置、ロールスクリーン、並びにローマンシェードカーテンが挙げられる。このような遮蔽装置において、近年、室内の湿気が窓ガラスや窓ガラスサッシに結露することを抑制できる遮蔽装置が提案されている。
例えば、下記特許文献１のロールスクリーンは、仕切り用部材の片面に吸放湿製樹脂層が設けられている。また、下記特許文献２のローマンシェードカーテンは、シェードの裾の折り返し部内に炭の微粉末が練り込まれた綿が縫い付けられている。
【先行技術文献】
【特許文献】
【０００３】
【特許文献１】特許第３９５１８４９号
【特許文献２】特開２００１−２７５８３１号公報
【発明の概要】
【発明が解決しようとする課題】
【０００４】
一方で、窓ガラス等への結露を抑制できるハニカムスクリーン装置については依然として提案されていない。
【０００５】
そこで、本発明は、前記する背景に鑑みて創案された発明であって、室内の湿気が窓ガラス等に結露することを抑制できるハニカムスクリーン装置を提供することを課題とする。
【課題を解決するための手段】
【０００６】
前記課題を解決するため、本発明の第１局面のハニカムスクリーン装置は、伸縮可能なハニカムスクリーンを備えたハニカムスクリーン装置において、前記ハニカムスクリーンの下方に配置されたボトムレールと、前記ボトムレールに形成され、吸湿剤を収容するための収容部と、前記ボトムレールに形成され、外部空間と前記収容部とを連通する連通口と、を備えることを特徴とする。
【０００７】
前記発明によれば、ボトムレールの収容部内に吸湿剤を収容することができる。よって、外部空間（室内）の湿気は、連通口を介して吸湿剤に吸収され、窓ガラス等に結露し難くなる。
【０００８】
前記発明において、前記ボトムレールは筒状を呈し、前記ボトムレールの内部空間が前記収容部となっていてもよい。
【０００９】
本発明の第２局面のハニカムスクリーン装置は、伸縮可能なハニカムスクリーンを備えたハニカムスクリーン装置において、前記ハニカムスクリーンの下方に配置されたボトムレールと、前記ボトムレール内に形成され吸湿剤を収容するための空間であり、前記ハニカムスクリーンと非接触に設けられた収容部と、を備えることを特徴とする。
【００１０】
前記発明によれば、ボトムレールの収容部内に吸湿剤を収容することができる。そして、室内の湿気が収容部内の吸湿剤に吸収され、窓ガラス等に結露し難くなる。また、収容部がハニカムスクリーンと非接触となっているため、収容部内に入り込んだ湿気がハニカムスクリーンに吸収されてハニカムスクリーンの生地が傷み易くなる、ということを回避できる。
【００１１】
本発明の第３局面のハニカムスクリーン装置は、伸縮可能なハニカムスクリーンを備えたハニカムスクリーン装置において、前記ハニカムスクリーンの下方に配置されたボトムレールと、前記ボトムレール内に形成され、前記ハニカムスクリーンと非接触に設けられた収容部と、前記収容部内に収容された吸湿剤と、を備えることを特徴とする。
【００１２】
前記発明によれば、室内の湿気が収容部内の吸湿剤に吸収され、窓ガラス等に結露し難くなる。また、収容部がハニカムスクリーンと非接触となっているため、収容部内に入り込んだ湿気がハニカムスクリーンに吸収されてハニカムスクリーンの生地が傷み易くなる、ということを回避できる。
【００１３】
前記発明において、前記ボトムレールには、外部空間と前記収容部とを連通する連通口が形成されていてもよい。
【００１４】
前記発明において、前記連通口は、前記ボトムレールにおいて窓側を向く壁部に形成されていることが好ましい。
【００１５】
前記構造によれば、連通口が視認され難いため、ハニカムスクリーン装置の美観を保持できる。また、ハニカムスクリーンと窓ガラスとの間の湿度が下がり、より結露し難くなる。
【００１６】
前記発明において、前記ボトムレールは、前記吸湿剤を出し入れ可能に形成されていることが好ましい。
【００１７】
前記構造によれば、吸湿剤を交換することができ、窓ガラス等への結露を継続的に抑制することができる。
【００１８】
前記発明において、前記ハニカムスクリーンを構成するセルは、両端が開口し、内部に吸湿剤を収容可能になっていることが好ましい。
【００１９】
前記構造によれば、吸湿性能が向上するため、湿気が窓ガラス等に結露することを確実に抑制することができる。
【００２０】
前記発明において、前記ハニカムスクリーンを構成するセルの両端部に配置される閉塞部材と、を備え、前記閉塞部材は、前記セルの両端部を上下方向に貫通するコードと、前記コードから各セル内に延出して内側への侵入を抑制する繊維群と、を備えていることが好ましい。
【００２１】
前記構造によれば、セル内への異物の侵入を抑制できる。また、吸湿性能が向上するため、湿気が窓ガラス等に結露することを確実に抑制することができる。
【発明の効果】
【００２２】
本発明によれば、室内の湿気が窓ガラス等に結露することを抑制できるハニカムスクリーン装置を提供することができる。
【図面の簡単な説明】
【００２３】
【図１】第１実施形態のハニカムスクリーン装置を室内側から視た正面図である。
【図２】第１実施形態のハニカムスクリーン装置においてボトムレールから蓋部材を取り外した状態を室外側かつ右上側から視た斜視図である。
【図３】図１のＩＩＩ−ＩＩＩ線矢視断面図である。
【図４】変形例に係るボトムレールを室外側かつ右上側から視た斜視図である。
【図５】第２実施形態のハニカムスクリーン装置の下部を室外側かつ右上側から視た斜視図である。
【図６】第３実施形態のハニカムスクリーン装置を室内側から視た正面図である。
【図７】第３実施形態のハニカムスクリーン装置においてボトムレールから蓋部材を取り外した状態を室外側かつ右上側から視た斜視図である。
【発明を実施するための形態】
【００２４】
つぎに各実施形態のハニカムスクリーン装置について図面を参照しながら説明する。
【００２５】
（第１実施形態）
図１に示すように、ハニカムスクリーン装置１は、ヘッドボックス２と、ヘッドボックス２の下方に配置され複数のセル４から成るハニカムスクリーン３と、ハニカムスクリーン３の下方に配置されたボトムレール５と、ヘッドボックス２から吊り下げられた昇降コード６と、ハニカムスクリーン３の伸縮を操作するための操作コード７と、を備えている。
【００２６】
なお、以下の説明において、室内側からハニカムスクリーン装置１を見て右手側を右側と称し、左手側を左側と称する。前後方向に関し、ハニカムスクリーン装置１を基準として、室内側を前側と称し、室外側を後側と称する。
【００２７】
ハニカムスクリーン３は、図示しない窓ガラスや窓ガラスサッシを覆うためのものであり、複数のセル４が上下方向に配列している。
図２に示すように、セル４は側面視で六角形を成す筒状の部品であり、セル４の両端４ａには開口４ｂが形成されている。
図３に示すように、ハニカムスクリーン３の下端には固定板１１が接着されている。固定板１１は、水平板状であり、ハニカムスクリーン３に沿って左右方向に延在する板部材である。
【００２８】
特に図示しないが、昇降コード６の上端側は、ヘッドボックス２内の巻取軸に掛装され、ヘッドボックス２から垂れ下がっている。また、昇降コード６は、各セル４に形成された挿通孔（不図示）に挿通され各セル４を貫通している。そして、昇降コード６の下端はボトムレール５に連結している。
【００２９】
操作コード７は、無端状のボールチェーンであり、ヘッドボックス２内の図示しない駆動軸に掛装されている。
操作コード７の下方に大きく引くと（図２の矢印参照）、駆動軸が回転（駆動）する。そして、駆動軸の駆動力が巻取軸に伝達して昇降コード６が巻取軸に巻き取られ、ボトムレール５が上昇する。これにより、複数のセル４，４，・・・のうち下方に配置されたセル４から順に、折り畳まれた状態でボトムレール５の上面に積み重ねられ、ボトムレール５とともに上昇する。
なお、操作コード７を下方に少し引くと、図示しないストッパが解除状態となり、自重によりボトムレール５が下降し、各セル４が展開するようになる。
【００３０】
ボトムレール５は、ハニカムスクリーン３の下端部に取り付けられてハニカムスクリーン３を伸長させたり、ハニカムスクリーン３が伸長した状態を保持したりする役割（錘の役割）を有している。
図１に示すように、ボトムレール５は、左右方向に延在する筒状の部品である。よって、ボトムレール５には、左右方向に延在する内部空間５ａが形成されている。また、ボトムレール５の両端には、内部空間５ａと外部空間（室内）とを連通する開口（図２参照）５ｂが形成されている。
さらに、ボトムレール５の両端には取り外し可能な蓋部材８が設けられ、この蓋部材８により開口５ｂが閉塞している。
【００３１】
図２に示すように、ボトムレール５の後壁５ｃ（ボトムレール５において窓側を向く壁部）には、内部空間５ａと外部空間（室内）とを連通する矩形状の連通口５ｄが形成されている。連通口５ｄは、４つ形成されている（図１参照）。また、ボトムレール５の内部空間５ａ内には、粒上のシリカゲル（吸湿剤）１０が設けられている。このため、ハニカムスクリーン３と窓ガラスとの間に介在する湿気は、ボトムレール５の連通口５ｄを介して内部空間５ａに流入し、シリカゲル１０に吸収される。なお、本実施形態において吸湿剤としてシリカゲル１０が用いているが、本発明はこれに限定されず、例えば、塩化カルシウム、生石灰などであってもよい。
【００３２】
図３に示すように、ボトムレール５の上壁５ｅには、係合レール１２が形成されている。係合レール１２は、断面視Ｌ字状に形成された一対の突起１２ａ，１２ｂにより構成されている。なお、係合レール１２（一対の突起１２ａ，１２ｂ）は、図２において省略されている。
この一対の突起１２ａ，１２ｂは、ボトムレール５の上壁５ｅにおいて互いに前後に離間して設けられ、固定板１１の前端１１ａ及び後端１１ｂに係合している。これにより、ボトムレール５がハニカムスクリーン３の下端部に取り付けられる。
また、ボトムレール５の上壁５ｅは、内部空間５ａとハニカムスクリーン３とを仕切る仕切り壁を構成しており、ハニカムスクリーン３と内部空間５ａとが非接触となっている。よって、内部空間５ａ内に入り込んだ湿気がハニカムスクリーン３に吸収されてハニカムスクリーン３の生地が傷み易くなる、ということを回避できる。
【００３３】
以上、第１実施形態によれば、窓ガラス近傍の湿度が低下するため、室内の湿気が窓ガラスや窓ガラスサッシに結露することが抑制される。
また、ボトムレール５の蓋部材８を取り外すことで、古いシリカゲル１０を新規のシリカゲルに交換できる。よって、湿気が窓ガラス等に結露することを継続的に抑制することができる。
また、ボトムレール５の連通口５ｄが窓ガラス側を向く後壁５ｃに形成されているため、ハニカムスクリーン３と窓ガラスとの間に介在する湿気をより効果的に吸収できる。
【００３４】
以上、第１実施形態について説明したが、本発明は、実施形態で説明した例に限定されない。実施形態の連通口５ｄは、ボトムレール５の後壁５ｃに形成されているが、例えば、前壁や上壁などでもよく、ボトムレール５の内部空間５ａと室内とを連通できれば特に限定されない。
また、実施形態では、ボトムレール５の後壁５ｃにのみ、言い換えると、ボトムレール５の一つの壁部にのみ連通口５ｄを形成しているが、ボトムレールの複数の壁部に連通口を形成してもよい。例えば、ボトムレール５の後壁５ｃのほかに、さらに前壁又は底壁に連通口を形成すると、室内の湿気をより多く吸収できる。また、前壁又は底壁の連通口が吸湿剤を交換できる大きさに形成されている場合には、吸湿剤の交換を容易とすることができる。
また、連通口５ｄをメッシュ材により覆い、ボトムレール５の内部空間５ａ内に埃等が侵入しないようにしてもよい。
【００３５】
また、ボトムレール５の両端の開口５ｂを吸湿剤の交換口として利用しているが、本発明は、開口５ｂが形成されていない有底筒状のボトムレールを用いてもよい。このようなボトムレールを利用する場合、連通口５ｄを大きめに形成し、連通口５ｄを交換口としてもよい。
【００３６】
または、ボトムレール５の両端の開口５ｂを連通口５ｄとして利用してもよい。ただしこのような場合、開口５ｂを常時通気可能とするため、蓋部材８を常時外しておく必要がある。なお、このような場合、蓋部材８の代わりにメッシュ材により開口５ｂを覆い、内部空間５ａ内の吸湿剤が脱落しないようにしてもよい。
【００３７】
また、本実施形態では、筒状のボトムレール５を用いるとともにその内部空間５ａを収容空間としているが、本発明はこれに限定されない。
例えば、図４に示すように、本発明は、中実のボトムレール１５を用いてもよい。
このようなボトムレール１５を用いる場合、ボトムレール１５の後壁１５ａを前方に凹ませて成る凹部１５ｂを形成する。
そして、凹部１５ｂの内部空間を吸湿剤を収容するための収容部１５ｃとし、凹部１５ｂの開口を連通孔１５ｄとしてもよい。
なお、本実施形態において、昇降コード６及び操作コード７を備えたハニカムスクリーン装置１に適用した例を挙げて説明したが、本発明は、昇降コード６及び操作コード７を備えていないハニカムスクリーン装置に適用してもよい。
【００３８】
（第２実施形態）
つぎに第２実施形態のハニカムスクリーン装置２１について説明する。
第２実施形態のハニカムスクリーン装置２１において第１実施形態との相違点は、図５に示すように、吸湿剤１０がボトムレール５の収容部（内部空間５ａ）の他に、セル４内にも配置されている点である。以下、相違点に絞って説明する。
【００３９】
図５に示すように、セル４内に配置された吸湿剤２２は、熱可塑性樹脂繊維と天然パルプからできた薄板に塩化カルシウムを担持させてなり、シート状の吸湿剤である。
吸湿剤２２は、セル４の開口４ｂからセル４内に配置されている。そして、吸湿剤２２は、セル４の上面の内側と下面の内側とに接着され、セル４内に固定されている。また、吸湿剤２２は、各セル４内に設けられている。
【００４０】
以上、第２実施形態のハニカムスクリーン装置２１は、ボトムレール５内の吸湿剤１０と、セル４内の吸湿剤２２とを備えるため、第１実施形態のハニカムスクリーン装置１よりも吸湿性能が高い。よって、室内の湿気が窓ガラスや窓ガラスサッシに結露することを確実に抑制することができる。
【００４１】
以上、第２実施形態のハニカムスクリーン装置２１について説明した。なお、実施形態において各セル４内に吸湿剤２２が設けられているが、本発明は、複数のセル４のうち下側に位置するセル４内にのみ吸湿剤２２を設けてもよい。また、吸湿剤２２を接着剤により固定しているが、交換可能なように係止ピンによりこていしてもよく、特に限定さない。
【００４２】
（第３実施形態）
つぎに第３実施形態のハニカムスクリーン装置３１について説明する。
第３実施形態のハニカムスクリーン装置３１において第１実施形態との相違点は、図６に示すように、ハニカムスクリーン３の左右両側に閉塞部材３２をさらに設けている点である。以下、相違点に絞って説明する。
【００４３】
図６に示すように、閉塞部材３２は、各セル４の両端部を上下方向に貫通するコード３３と、コード３３から各セル４内に延出してセル４内に異物が侵入することを抑制する繊維群３４と、を備えている。
【００４４】
コード３３は、上端がヘッドボックス２内に固定されている。そして、コード３３は、ヘッドボックス２から垂れ下がり、各セル４に形成された貫通孔に挿通され、セル４内を上下方向に延在している。また、コード３３は、昇降コード６よりも幅方向外側に位置している。
【００４５】
繊維群３４は、鉛直方向に延在するコード３３から水平方向かつ放射状に延出する複数の繊維により構成されている。また、繊維群３４を構成する繊維は、吸湿性を有しているものが使用されている。さらに、繊維群３４は、コード３３の長さ方向に隙間なく設けられている。なお、繊維の種類は特に限定されず、天然繊維（例えばモヘアなど動物繊維又は植物繊維）、化学繊維が挙げられる。
【００４６】
閉塞部材３２は、ハニカムスクリーン３が収縮しセル４が折り畳まれた場合、コード３３がセル４内で屈曲する。ここで、コード３３が屈曲した場合、コード３３や繊維群３４がセル４の端４ａよりも外側に突出（露出）しないように、言い換えると、ハニカムスクリーン３の美観を損なわないように、コード３３の長さや繊維群３４を構成する繊維の長さが設定されている。
【００４７】
以上、第３実施形態によれば、セル４内への異物の侵入を抑制できる。また、第３実施形態のハニカムスクリーン装置３１は、ボトムレール５内の吸湿剤１０以外に、繊維群３４が吸湿するため、第１実施形態のハニカムスクリーン装置１よりも吸湿性能が高い。よって、室内の湿気が窓ガラスや窓ガラスサッシに結露することを確実に抑制することができる。
【符号の説明】
【００４８】
１      ハニカムスクリーン装置
２      ヘッドボックス
３      ハニカムスクリーン
４      セル
５      ボトムレール
５ａ    内部空間（収容部）
５ｂ    開口
５ｃ    後壁
５ｄ    連通口
５ｅ    上壁
６      昇降コード
７      操作コード
８      蓋部材
１０    シリカゲル（吸湿剤）
１１    固定板
１２    固定レール
１５    ボトムレール
１５ａ  後壁
１５ｂ  凹部
１５ｃ  収容部
１５ｄ  連通孔
２１    ハニカムスクリーン装置
２２    吸湿剤
３１    ハニカムスクリーン装置
３２    閉塞部材
３３    コード
３４    繊維群
【図１】
2019065581.tif 000003
【図２】
2019065581.tif 000004
【図３】
2019065581.tif 000005
【図４】
2019065581.tif 000006
【図５】
2019065581.tif 000007
【図６】
2019065581.tif 000008
【図７】
2019065581.tif 000009